(57)【要約】  画像処理装置（１０）は、表示パネル（２１）と、記憶媒体（１７）と、第１表示処理部（５１）と、第２表示処理部（５２）と、機能実行処理部（５４）と、を備える。記憶媒体には、階層化された複数の機能情報が記憶されている。第１表示処理部は、上位階層に属する複数の機能情報に対応する上位コマンドを選択可能なように表示パネルに割り当てられた第１表示枠（４１）に表示する。第２表示処理部は、第１表示枠においていずれか一つの上位コマンドが選択された場合に、表示パネルに割り当てられた第２表示枠（４２）に、当該上位コマンドに属する下位階層に含まれる複数の機能情報に対応する下位コマンドを選択可能なように表示する。機能実行処理部は、第１表示枠及び第２表示枠で上位コマンド及び下位コマンドが選択されると、第１表示枠及び第２表示枠で選択された各コマンドに共通する特定の機能情報に対応する機能を実行する。
2016170713.tif 000002
【特許請求の範囲】
【請求項１】
表示パネルと、
階層化された複数の機能情報が記憶された記憶媒体と、
上位階層に属する複数の機能情報に対応する上位コマンドを選択可能なように前記表示パネルに割り当てられた第１表示枠に表示する第１表示処理部と、
前記第１表示枠においていずれか一つの前記上位コマンドが選択された場合に、前記表示パネルに割り当てられた第２表示枠に、当該上位コマンドに属する下位階層に含まれる複数の機能情報に対応する下位コマンドを選択可能なように表示する第２表示処理部と、
前記第１表示枠及び前記第２表示枠で前記上位コマンド及び前記下位コマンドが選択されると、前記第１表示枠及び前記第２表示枠で選択された各コマンドに共通する特定の機能情報に対応する機能を実行する機能実行処理部と、を備える画像処理装置。
【請求項２】
前記第２表示処理部は、前記第１表示枠において前記上位コマンドが選択された場合に、当該上位コマンドに対応する前記下位コマンドの選択頻度に応じた順に前記下位コマンドを並べて前記第２表示枠に表示する請求項１に記載の画像処理装置。
【請求項３】
前記第２表示処理部は、前記第１表示枠において前記上位コマンドが選択された場合に、前記選択頻度の最も高い前記下位コマンドを前記第２表示枠に表示する請求項２に記載の画像処理装置。
【請求項４】
前記第１表示処理部及び前記第２表示処理部は、プルダウン方式により列状にコマンドを表示する請求項１に記載の画像処理装置。
【請求項５】
前記表示パネルに表示されたショートカットキーが選択された場合に、前記第１表示枠及び前記第２表示枠を含む選択画面を表示する第３表示処理部を更に備える請求項１に記載の画像処理装置。
【発明の詳細な説明】
【技術分野】
【０００１】
本発明は、機能情報を表示可能な画像形成装置や画像読取装置などの画像処理装置に関する。
【背景技術】
【０００２】
画像データに基づいて画像処理を行うプリンターのような画像処理装置には、画像処理に関する複数の機能を備えている。複数の機能としては、例えば、コピー機能、データ送信機能、ファクシミリ機能などがある。また、画像処理装置には、表示パネルが設けられている。表示パネルには、各機能の設定を入力したり、各機能を実行したりするための設定画面が表示される。ユーザーは、各機能それぞれに対応するファンクションキーを操作して、各機能の設定画面を個別に表示パネルに表示させ、表示された設定画面から各種の設定指示や実行指示を入力する。【０００３】
多数の機能を有する画像処理装置においては、各機能毎に複数の設定項目や実行項目が設けられている。そのため、ユーザーは、所望する設定項目や実行項目を素早く探し当てることができない場合がある。従来、複数のファンクションキーに割り当てられたショートカット機能の一覧を表示させて、機能の登録や設定変更を容易にする電子機器が知られている（特許文献１参照）。
【先行技術文献】
【特許文献】
【０００４】
【特許文献１】特開２００８−１９８１３８号公報
【発明の概要】
【発明が解決しようとする課題】
【０００５】
しかしながら、表示パネルにショートカット機能の一覧が表示されたとしても、その中から必要な機能の設定項目や実行項目を探し当てるのは容易ではない。近年、複合機と称される画像処理装置においては、多機能化されたことにより各機能に属する設定項目や実行項目が増加したため、不慣れなユーザーはもちろん、手慣れたユーザーであっても、所望する設定項目や実行項目に容易に到達することができない。【０００６】
本発明は、前記事情に鑑みてなされたものであり、その目的は、画像処理装置が有する機能に関する機能情報を簡単に検索してその機能情報に対応する機能を実行することが可能な画像処理装置を提供することにある。
【課題を解決するための手段】
【０００７】
本発明の一の局面に係る画像処理装置は、表示パネルと、記憶媒体と、第１表示処理部と、第２表示処理部と、機能実行処理部と、を備える。前記記憶媒体には、階層化された複数の機能情報が記憶されている。前記第１表示処理部は、上位階層に属する複数の機能情報に対応する上位コマンドを選択可能なように前記表示パネルに割り当てられた第１表示枠に表示する。前記第２表示処理部は、前記第１表示枠においていずれか一つの前記上位コマンドが選択された場合に、前記表示パネルに割り当てられた第２表示枠に、当該上位コマンドに属する下位階層に含まれる複数の機能情報に対応する下位コマンドを選択可能なように表示する。前記機能実行処理部は、前記第１表示枠及び前記第２表示枠で前記上位コマンド及び前記下位コマンドが選択されると、前記第１表示枠及び前記第２表示枠で選択された各コマンドに共通する特定の機能情報に対応する機能を実行する。
【発明の効果】
【０００８】
本発明によれば、画像処理装置が有する機能に関する機能情報を簡単に検索してその機能情報に対応する機能を実行することが可能である。
【図面の簡単な説明】
【０００９】
【図１】図１は、本発明の実施形態に係る画像処理装置を示す斜視図である。
【図２】図２は、本発明の実施形態に係る画像処理装置の構成を示すブロック図である。
【図３】図３は、本発明の実施形態に係る画像処理装置で実行されるコマンド実行処理の手順を示すフローチャートである。
【図４Ａ】図４Ａは、表示パネルに表示される初期画面の一例を示す画面図である。
【図４Ｂ】図４Ｂは、表示パネルに表示されるコマンド入力画面の一例を示す画面図である。
【図５Ａ】図５Ａは、表示パネルに表示されるコマンド入力画面の一例を示す画面図である。
【図５Ｂ】図５Ｂは、表示パネルに表示されるコマンド入力画面の一例を示す画面図である。
【図６Ａ】図６Ａは、コマンド入力画面に表示されるコマンドの表示例を示す画面図である。
【図６Ｂ】図６Ｂは、コマンド入力画面に表示されるコマンドの表示例を示す画面図である。
【図７】図７は、表示パネルに表示されるコマンド入力画面の他の一例を示す画面図である。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定するものではない。
【００１１】
［画像処理装置１０の概略構成］
まず、図１及び図２を参照しつつ、本発明の実施形態に係る画像処理装置１０の概略構成について説明する。ここで、図１は画像処理装置１０の構成を示す断面模式図である。図２は、画像処理装置１０の構成を示すブロック図である。
【００１２】
画像処理装置１０は、原稿から読み取った画像を印刷するコピー機能、原稿の画像データを読み取って保管するスキャン機能、読み取った画像データを送信するデータ送信機能、外部入力された画像データに基づいて画像を形成するプリント機能、画像データをファクシミリ送信するファクシミリ機能などの複数の主要機能を有する複合機である。なお、本発明は、スキャナー装置（画像読取装置）、プリンター装置（画像形成装置）、ファクシミリ装置、コピー機（画像形成装置）などの画像処理装置に適用可能である。
【００１３】
具体的に、画像処理装置１０は、図１及び図２に示すように、ＡＤＦ（自動原稿搬送装置）１１、画像読取部１２、画像形成部１３、給紙部１４、制御部１５、操作表示部１６、及び記憶部１７（本発明の記憶媒体の一例）を備える。
【００１４】
ＡＤＦ１１は、原稿セット部１１Ａ、複数の搬送ローラー、原稿押さえ、及び排紙部１１Ｂを備え、画像読取部１２によって読み取られる原稿を搬送する。
【００１５】
画像読取部１２は、原稿台１２Ａ、光源、複数のミラー、光学レンズ、及びＣＣＤを備え、原稿から画像データを読み取ることが可能である。また、画像読取部１２は、操作表示部１６に接続されたＵＳＢメモリーやＳＤカードなどの外部メモリーに読み取った画像データを保存することも可能である。操作表示部１６から読取開始指示が入力されると、画像読取部１２による原稿の読取動作が開始され、原稿の画像データが読み取られる。
【００１６】
画像形成部１３は、画像読取部１２で読み取られた画像データ又は外部の情報処理装置から入力された画像データに基づいて、電子写真方式で画像を形成する処理を行う。具体的に、画像形成部１３は、感光体ドラム、帯電装置、光走査装置、現像装置、転写ローラー、クリーニング装置、定着ローラー、加圧ローラー、及び排紙部１３Ａを備える。そして、画像形成部１３では、給紙部１４から供給されるシートに画像が形成されて、画像形成後の前記シートが排紙部１３Ａに排出される。また、画像形成部１３は、操作表示部１６に接続されたＵＳＢメモリーやＳＤカードなどの外部メモリーから直接読み出された画像データ又は文書データに基づいて印刷用紙にモノクロ画像又はカラー画像を形成する、所謂ダイレクトプリントを行うことも可能である。操作表示部１６からコピー開始指示が入力されると、原稿の画像データが読み取られた後に、画像形成動作が行われる。
【００１７】
画像読取部１２の手前側に、操作表示部１６が設けられている。操作表示部１６は、表示パネル２１と、操作部２２とを備えている。
【００１８】
表示パネル２１は、操作表示部１６の上面に設けられており、その表示面２１Ａが外部からユーザーによって視認可能なように配置されている。表示パネル２１は、入力、設定、指示などの複数のキー画像や、印刷される画像データや文書データのプレビュー画像、印刷状態、印刷設定を示すメッセージなど、印刷に関する情報を液晶表示させるものである。本実施形態では、図４Ａに示される初期画面３０や、図４Ｂに示される後述のコマンド入力画面４０（本発明の選択画面の一例）が表示パネル２１の表示面２１Ａに表示される。
【００１９】
表示パネル２１は、外部からの接触による入力を検知可能なタッチパネルであり、ユーザーが指を表示パネル２１の表示面２１Ａにタッチして接触させることにより、表示されたキー画像などに対する入力を受け付けることが可能となっている。
【００２０】
操作部２２は、０〜９の数字などを入力するための数字キー、印刷動作やソフトウェアなどを始動させるためのスタートボタン、印刷動作などを中止させるためのストップボタンなどの入力キーが配置されている。
【００２１】
記憶部１７は、不揮発性の記憶装置である。例えば、記憶部１７は、フラッシュメモリー、ＳＳＤ（ソリッドステートドライブ）、又はＨＤＤ（ハードディスクドライブ）などの記憶装置である。
【００２２】
記憶部１７には、画像処理装置１０が備える上述の主要機能（コピー機能、スキャン機能、データ送信機能、プリント機能、ファクシミリ機能など）に属する複数の機能情報が記憶されている。これらの複数の機能情報は、後述のコマンド実行処理に用いられる。
【００２３】
前記複数の機能情報は、前記主要機能それぞれに属する多数の設定項目及び実行項目などの上位項目や、各上位項目に属する下位項目などを示すものである。前記上位項目の具体例は、コピー設定、スキャン設定、データ送信設定、印刷設定、ファクシミリ設定などを行うための設定項目である。前記上位項目の他の例は、例えば、画像データの消去や各設定項目の一括消去などを実行するための実行項目である。或いは、画像処理装置１０に登録されているＩＰ情報や、画像処理装置１０のファームウェアのバージョン情報、画像処理装置１０のシリアル番号などを取得するための取得項目も前記上位項目の他の例である。
【００２４】
また、前記下位項目の具体例は、コピー設定項目に属する詳細設定項目であり、例えば、コピー枚数の設定、印刷用紙の設定、カラー／モノクロの設定、印刷解像度の設定などの設定項目である。前記下記項目の他の例は、スキャン設定項目に属する詳細項目（カラー／モノクロの設定、読取解像度の設定など）や、データ送信設定項目に属する詳細設定項目（送信先の設定、送信速度の設定、通信設定など）、印刷設定項目に属する詳細設定項目（印刷枚数の設定、印刷用紙の設定、カラー／モノクロの設定、印刷解像度の設定など）、ファクシミリ設定項目に属する詳細設定項目（信先の設定、送信速度の設定など）などの設定項目である。
【００２５】
本実施形態では、これらの各設定項目に対応する複数の機能情報が記憶部１７内に階層化されて記憶されている。具体的には、上位階層として、前記上位項目に対応する機能情報がグループ化されて記憶されており、下位階層として、前記下位項目に対応する機能情報が前記上位項目に関連付けられてグループ化されて記憶されている。
【００２６】
また、記憶部１７には、後述のコマンド実行処理に用いられる各種のデータが入力されている。例えば、コマンド入力画面４０（図４Ｂ参照）の表示処理を実行するためのＧＵＩファイルや、コマンド入力画面４０において過去に選択されたコマンドの使用頻度などが記憶部１７に記憶されている。ここで、前記コマンドとは、前記複数の機能情報に対応する各項目（設定項目、実行項目、取得項目など）を特定するための指示命令のことである。本実施形態では、上述した複数の機能情報に対応して複数のコマンドが割り当てられている。例えば、前記設定項目に対してコマンド「＠Ｓｅｔ」が割り当てられている。また、前記実行項目に対してコマンド「＠Ａｃｔｉｏｎ」が割り当てられている。また、前記取得項目に対してコマンド「＠Ｇｅｔ」が割り当てられている。以下の説明では、上位階層に属する前記機能情報（上述の上位項目）に対応するコマンド（＠Ｓｅｔ、＠Ａｃｔｉｏｎ、＠Ｇｅｔなど）を上位コマンドと称し、下位階層に属する前記機能情報（上述の下位項目）に対応するコマンドを下位コマンドと称する。
【００２７】
前記下位コマンドの具体例は、コマンド「＠Ｓｅｔ」に属するコマンド「ＩＰ」、「Ｔｒａｙ」、「Ｅｍｕｌａｔｉｏｎ」、「ＰａｐｅｒＳｉｚｅ」、「ＤｏｃＳｉｚｅ」、「Ｒｅｓｏｌｕｔｉｏｎ」などがある。コマンド「ＩＰ」は、画像処理装置１０においてＩＰアドレスを設定するための詳細設定項目を特定するための指示命令である。コマンド「Ｔｒａｙ」は、印刷時に用いる用紙が収容されているトレイを設定するための詳細設定項目を特定するための指示命令である。コマンド「Ｅｍｕｌａｔｉｏｎ」は、印刷時に用いられる動作モード（ドラフト印刷モードなど）を設定したり、画像処理装置１０における動作モード（省エネモードなど）を設定するための詳細設定項目と特定するための指示命令である。コマンド「ＰａｐｅｒＳｉｚｅ」は、コピー時又は印刷時に用いられる用紙サイズを設定するための詳細設定項目を特定するための指示命令である。コマンド「ＤｏｃＳｉｚｅ」は、スキャン時に使用される原稿のサイズを設定するための詳細設定項目を特定するための指示命令である。コマンド「Ｒｅｓｏｌｕｔｉｏｎ」は、コピー時、印刷時、又はスキャン時に適用される解像度を設定するための詳細設定項目を特定するための指示命令である。
【００２８】
前記上位コマンド及び上記下位コマンドは、上述のものに限られない。他の機能情報（上位項目及び下位項目）に対応するコマンドが割り当てられていてもよい。コマンドと各機能情報との割当関係は、記憶部１７に予め記憶されている。
【００２９】
制御部１５は、不図示のＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶装置である。前記ＲＡＭは、前記ＣＰＵが実行する各種の処理の一時記憶メモリー（作業領域）として使用される揮発性の記憶装置である。制御部１５は、ＡＤＦ１１，画像読取部１２、画像形成部１３、操作表示部１６、記憶部１７などに接続されている。
【００３０】
制御部１５では、前記ＣＰＵにより前記ＲＯＭに予め記憶された各種の制御プログラムが実行される。これにより、画像処理装置１０が制御部１５により統括的に制御される。とりわけ、制御部１５は、後述のコマンド実行処理を実行することによって、後述のコマンド入力画面４０から入力された複数のコマンドに基づいて、各コマンドに共通する特定の機能情報を検索し、その機能情報に対応する特定の機能を実行する。なお、制御部１５は、集積回路（ＡＳＩＣ）などの電子回路で構成されたものであってもよい。また、画像処理装置１０を統括的に制御するメイン制御部とは別に、操作表示部１６内に設けられた制御部であってもよい。
【００３１】
また、制御部１５は、前記ＣＰＵにより前記制御プログラムが実行されることによって、第１表示処理部５１、第２表示処理部５２、第３表示処理部５３、機能実行処理部５４、として動作する。
【００３２】
第３表示処理部５３は、初期画面３０に表示されたショートカットキー３１がユーザーによってタッチ操作された場合に、第１表示枠４１及び第２表示枠４２を含むコマンド入力画面４０を表示する処理を行う。
【００３３】
ここで、初期画面３０は、例えば、画像処理装置１０が起動された直後や、或いはユーザーが画像処理装置１０にログインした直後に、表示パネル２１に表示される画面である。図４Ａは、初期画面３０の一例を示す図である。初期画面３０には、画像処理装置１０が備える上述の主要機能を示す複数のアイコン画像が配置されている。各アイコン画像がタッチ操作されると、各アイコン画像に対応する主要機能の設定項目や実行項目を示すメニュー画面が制御部１５によって表示パネル２１に表示される。なお、初期画面３０には、システムメニューなどに対応するアイコン画像も配置されており、これらのアイコン画像がタッチ操作されると、各アイコン画像に対応する機能（例えばシステム設定項目）を示すメニュー画面が表示パネル２１に表示される。
【００３４】
また、初期画面３０には、ユーザーによってタッチ操作可能な位置にコマンド入力用のショートカットキー３１が配置されている。本実施形態では、各主要機能のアイコン画像に加えて、一つのショートカットキー３１が初期画面３０に含まれている。第３表示処理部５３は、ショートカットキー３１がユーザーによってタッチ操作されると、記憶部１７内の前記ＧＵＩファイルを起動させて、図４Ｂに示すコマンド入力画面４０を表示パネル２１に表示させる。なお、ショートカットキー３１に代えて、操作部２２にショートカットキー３１と同じ機能を有するハードキーを設けてもよい。
【００３５】
コマンド入力画面４０は、図４Ｂに示されるように、前記上位コマンドが表示される第１表示枠４１と、前記下位コマンドが表示される第２表示枠４２と、を有する。コマンド入力画面４０において、第２表示枠４２は、第１表示枠４１に隣接して配置されている。具体的には、選択順が一見して分かるように、第１表示枠４１がコマンド入力画面４０において左詰に配置されており、その右側に連続するように第２表示枠４２が配置されている。なお、第１表示枠４１が上側に配置され、第２表示枠４２がその下側に配置されて、両表示枠４１，４２が上下方向に並んで配置されていてもよい。コマンド入力画面４０が表示パネル２１に表示されることによって、表示パネル２１の表示面２１Ｂに第１表示枠４１と、第２表示枠４２とが割り当てられる。第１表示枠４１は、後述の第１表示処理部５１によって前記上位コマンドが表示される表示枠であり、第２表示枠４２は、後述の第２表示処理部５２によって前記下位コマンドが表示される表示枠である。
【００３６】
なお、コマンド入力画面４０には、第２表示枠４２の右側に第３表示枠４３が配置されている。この第３表示枠４３は、第２表示枠４２で選択された下位コマンドの更に下位のコマンドが存在する場合に、そのコマンドを選択可能に表示する表示枠として機能する。また、第２表示枠４２で選択された下位コマンドが設定内容を変更したり、或いは新たな設定をするためのものである場合は、この第３表示枠４３は所定の設定内容の入力欄として機能する。
【００３７】
第１表示処理部５１は、前記上位階層に属する複数の機能情報（上位項目）に対応する複数の前記上位コマンドを選択可能なようにコマンド入力画面４０の第１表示枠４１に表示する。選択可能な表示方法としては、例えば、複数の上位コマンドをプルダウン方式により列状に表示する方法が適用可能である。図４Ｂに示されるように、ユーザー操作によって第１表示枠４１がタッチ操作されると、第１表示処理部５１は、複数の前記上位コマンドを図５Ａに示されるようにプルダウンメニュー４１Ａによってリスト表示する。図５Ａの例では、プルダウンメニュー４１Ａに、コマンド「＠Ｓｅｔ」、コマンド「＠Ｇｅｔ」、コマンド「＠Ａｃｔｉｏｎ」、・・・・の順に上位コマンドが表示される。そして、第１表示枠４１のプルダウンメニュー４１Ａから特定の一つの上位コマンドがタッチ操作されると、タッチ操作された上位コマンドが選択されて、第１表示枠４１に表示される（図５Ｂ参照）。なお、図５Ｂには、コマンド「＠Ｓｅｔ」がタッチ操作されて、第１表示枠４１に表示された例が示されている。
【００３８】
また、第１表示処理部５１は、前記上位コマンドとともに、コマンド「ｍａｎｕａｌ」を第１表示枠４１のプルダウンメニュー４１Ａに表示する。このコマンド「ｍａｎｕａｌ」は、ユーザーが手動でコマンドを入力するためのものである。例えば、第１表示枠４１において、コマンド「ｍａｎｕａｌ」が選択されると、制御部１５は、コマンド入力画面４０の第１表示枠４１〜第３表示枠４３を手動入力枠４５（図７参照）に変更して、手動による入力を受け付け可能にする。なお、手動入力枠４５には、操作部２２に設けられた不図示の入力キーを介してコマンドを入力可能である。
【００３９】
第２表示処理部５２は、第１表示枠４１においていずれか一つの上位コマンドが選択された場合に、選択された上位コマンドに属する下位コマンドを選択可能なように第２表示枠４２に表示する。第２表示枠４２に表示される下位コマンドは、第１表示枠４１で選択された上位コマンドに属するものであって、詳細には、上位コマンドに対応する上位項目（機能情報）に属する複数の下位項目に対応するコマンドである。選択可能な表示方法としては、第１表示枠４１の表示方法と同様に、複数の下位コマンドをプルダウン方式により列状に表示する方法が適用可能である。図５Ａに示されるように、ユーザーによって第２表示枠４２がタッチ操作されると、第２表示処理部５２は、複数の前記上位コマンドを図５Ｂに示されるようにプルダウンメニュー４２Ａによってリスト表示する。図５Ｂの例では、プルダウンメニュー４２Ａに、コマンド「＠Ｓｅｔ」の下位コマンドとして、コマンド「ＩＰ」、コマンド「Ｔｒａｙ」、コマンド「Ｅｍｕｌａｔｉｏｎ」、コマンド「ＰａｐｅｒＳｉｚｅ」、コマンド「ＤｏｃＳｉｚｅ」、コマンド「Ｒｅｓｏｌｕｔｉｏｎ」、・・・・、「Ｍｏｒｅ」の順に下位コマンドが表示される。そして、第２表示枠４２のプルダウンメニュー４２Ａから特定の一つの下位コマンドがタッチ操作されると、タッチ操作された下位コマンドが選択されて、第２表示枠４２に表示される（図６Ａ参照）。図６Ａには、コマンド「ＩＰ」がタッチ操作されて、第２表示枠４２に表示された例が示されている。なお、第２表示枠４２において「Ｍｏｒｅ」が選択されると、プルダウンメニュー４２Ａの表示内容が更新されて別の下位コマンドが表示される。
【００４０】
本実施形態では、第２表示処理部５２は、第１表示枠４１において前記上位コマンドが選択された場合に、当該上位コマンドに対応する前記下位コマンドの選択頻度に応じた順に前記下位コマンドを並べて第２表示枠４２に表示する。具体的には、制御部１５は、第２表示枠４２において前記下位コマンドが選択される度に、その下位コマンドに選択頻度を計測して記憶部１７に記憶しておく。そして、ユーザーによって第２表示枠４２がタッチ操作されると、記憶部１７内の選択頻度を読み出して、その選択頻度に応じて下位コマンドを並べ替え、並べ替えられた状態でリスト表示されたプルダウンメニュー４２Ａを表示する。図５Ｂの例では、前記選択頻度に応じて並べ替えられたコマンドリストが表示されている。
【００４１】
なお、第１表示枠４１において前記上位コマンドが選択された場合に、前記選択頻度の最も高い下位コマンドを第２表示枠４２に表示させてもよい。例えば、第１表示枠４１にコマンド「＠Ｓｅｔ」が選択されると、プルダウンメニュー４２Ａに表示される複数の下位コマンドのなかから最も選択頻度の高い下位コマンド「ＩＰ」を第２表示枠４２に表示させてもよい。
【００４２】
機能実行処理部５４は、第１表示枠４１において前記上位コマンドが選択（表示）され、第２表示枠４２において前記下位コマンドが選択（表示）されると、第１表示枠４１及び第２表示枠４２それぞれで選択された各コマンドに共通する特定の機能情報に対応する機能を実行する。具体的に、コマンド入力画面４０には、機能の実行時にタッチ操作される実行キー４８が設けられている。この実行キー４８が図６Ａに示されるように、ユーザーによってタッチ操作されると、記憶部１７を検索して、第１表示枠４１及び第２表示枠４２それぞれに共通する特定の機能情報を選び出し、選出された特定の機能情報に対応する機能を実行する。例えば、図６Ａに示されるように、コマンド「＠Ｓｅｔ」が第１表示枠４１に表示されており、コマンド「ＩＰ」が第２表示枠４２に表示されている場合に、実行キー４８がタッチ操作されると、コマンド「＠Ｓｅｔ」及びコマンド「ＩＰ」に共通する機能情報としてＩＰアドレスが選出されて、画像処理装置１０に登録されているＩＰアドレスが第３表示枠４３の欄外の第４表示枠４４に表示される（図６Ｂ参照）。
【００４３】
以下、図３を参照して、制御部１５によって実行される機能実行処理の手順について説明する。図３のフローチャートにおいてステップＳ１１、Ｓ１２、・・・は処理手順（ステップ）番号を表している。この機能実行処理は、画像処理装置１０に対してユーザーログインがなされた後に初期画面３０が表示パネル２１に表示された場合に実行される。
【００４４】
制御部１５は、例えば、表示パネル２１に表示されたログイン画面に対するユーザーによるユーザーＩＤおよびパスワードの入力が検出されると、記憶部１７に記憶されている登録ユーザーの個人情報に基づいて、ユーザーのログインの可否を判定する。そして、制御部１５は、ユーザーのログインを許可すると、表示パネル２１に初期画面３０（図４Ａ参照）を表示する。
【００４５】
そして、ステップＳ１１では、初期画面３０においてコマンド入力要求があったか否かを判定する。具体的には、初期画面３０においてショートカットキー３１がタッチ操作されたか否かを判定する。ユーザーによってショートカットキー３１がタッチ操作されると、制御部１５は、タッチ操作によって生じた電圧信号を検出することにより、ショートカットキー３１がタッチ操作された、つまり、コマンド入力要求があったと判定する。
【００４６】
ステップＳ１１において、コマンド入力要求が入力されたと判定されると、制御部１５は、コマンド入力画面４０（図４Ｂ参照）を表示パネル２１に表示する。
【００４７】
次のステップ１３では、制御部１５は、第１表示枠４１のプルダウンメニュー４１Ａから上位コマンドがユーザーによるタッチ操作によって選択されたかどうかを判定する。第１表示枠４１のプルダウンメニュー４１Ａ（図５Ａ参照）から一つの上位コマンドが選択されると、ステップＳ１４において、制御部１５は、その上位コマンドを第１表示枠４１に表示する（図５Ｂ参照）。
【００４８】
次のステップＳ１５では、制御部１５は、記憶部１７に記憶されている前記選択頻度を参照して、前記選択頻度が最も高い下位コマンドを第２表示枠４２に表示させる。このとき用いられる前記選択頻度は、ログイン中のユーザーが過去に選択した下位コマンドの選択頻度であることが好ましい。このような選択頻度によって特定される下位コマンドがユーザーの選択行為を経ずに第２表示枠４２に表示されることにより、ユーザーによる選択行為を排除することが可能になり、ユーザーによる操作性が向上する。なお、ユーザー個別の選択頻度が一定の使用回数に達していない場合は、その選択頻度を使用すると却って操作性が低下する場合がある。そのため、一定の使用回数に達していない場合は、制御部１５は、画像処理装置１０に登録されている全ユーザーの選択頻度を参照して、前記選択頻度が最も高い下位コマンドを第２表示枠４２に表示させるようにしてもよい。
【００４９】
次のステップＳ１６では、制御部１５は、実行指示が入力されたか否かを判定する。制御部１５は、ユーザーによってコマンド入力画面４０の実行キー４８がタッチ操作された場合に、実行指示が入力されたと判定する。前記実行指示が入力されない場合はステップＳ１７に進む。
【００５０】
次のステップ１７では、制御部１５は、第２表示枠４２のプルダウンメニュー４２Ａから一つから下位コマンドがユーザーによるタッチ操作によって選択されたかどうかを判定する。第２表示枠４２のプルダウンメニュー４２Ａ（図５Ｂ参照）から一つの下位コマンドが選択されると、ステップＳ１８において、制御部１５は、その第２表示枠４２の表示内容を選択された下位コマンドに更新する。なお、ステップＳ１６において実行指示が入力されると、ステップＳ１９に進む。
【００５１】
ステップＳ１９では、第１表示枠４１において前記上位コマンドが選択され、第２表示枠４２において前記下位コマンドが選択された状態で、第１表示枠４１及び第２表示枠４２それぞれで選択された各コマンドに共通する特定の機能情報を記憶部１７内で検索する。その後、制御部１５は、検索によって選び出され機能情報に対応する機能を実行する（Ｓ２０）。例えば、図６Ａに示されるように、第１表示枠４１にコマンド「＠Ｓｅｔ」が選択（入力）され、第２表示枠４２にコマンド「ＩＰ」が選択（入力）された状態で、実行キー４８がタッチ操作されると、「画像処理装置１０に登録されているＩＰアドレスを取得して表示する」というコマンドの実行指示が入力されたことになり、画像処理装置１０に登録されているＩＰアドレスを第４表示枠４４に表示する処理（機能）が実行される。
【００５２】
上述したように、画像処理装置１０において、第１表示枠４１及び第２表示枠４２においてコマンドを選択するだけで、ユーザーが所望するコマンドを設定して、実行キー４８をタッチ操作するだけでそのコマンドに対応する機能を実行することができる。そのため、ユーザーは、コピー機能やデータ送信機能などの各主要機能毎に設けられた設定画面などを開くことなく、各主要機能が備える多数の詳細機能から所望する機能を設定することができ、当該機能を実行することができる。
【００５３】
なお、上述の実施形態では、前記選択頻度が参照されて第２表示枠４２に自動的に下位コマンドが表示される例について説明したが、制御部１５は、前記選択頻度を用いずに、第２表示枠４２に対する選択が行われた場合に選択された下位コマンドを第２表示枠４２に表示するようにしてもよい。また、上述の実施形態では、第２表示枠４２のみに前記選択頻度を用いて自動的に高頻度の下位コマンドを表示する例について説明したが、第１表示枠４１に表示される上位コマンドについても、同様に、前記選択頻度を用いて自動的に高頻度の上位コマンドを表示するようにしてもよい。
【００５４】
また、上述の実施形態では、初期画面３０が表示されているときにショートカットキー３１がタッチ操作された場合にコマンド入力画面４０を表示する例について説明したが、本発明はこの例に限られない。上述の実施形態では、制御部１５は、ショートカットキー３１に対するタッチ操作、及び第１表示枠４１に対する選択操作の２回の操作が行われた場合に、第１表示枠４１にユーザーの所望する上位コマンドを表示させることとしたが、例えば、初期画面３０においてショートカットキー３１が予め定められた回数タッチされた場合に、コマンド入力画面４０を表示させるとともに、タッチ回数に応じた上位コマンドを第１表示枠４１に表示させるようにしてもよい。もちろん、前記タッチ回数をタッチ時間に置き換えて、初期画面３０においてショートカットキー３１が予め定められた時間タッチされた場合に、コマンド入力画面４０を表示させるとともに、タッチ時間に応じた上位コマンドを第１表示枠４１に表示させるようにしてもよい。なお、制御部１５は、予め記憶部１７に記憶されているタッチ回数又はタッチ時間と上位コマンドとの対応テーブルを参照して、対応する上位コマンドを第１表示枠４１に表示する。
【図１】
2016170713.tif 000003
【図２】
2016170713.tif 000004
【図３】
2016170713.tif 000005
【図４Ａ】
2016170713.tif 000006
【図４Ｂ】
2016170713.tif 000007
【図５Ａ】
2016170713.tif 000008
【図５Ｂ】
2016170713.tif 000009
【図６Ａ】
2016170713.tif 000010
【図６Ｂ】
2016170713.tif 000011
【図７】
2016170713.tif 000012
【手続補正書】
【提出日】平成29年7月12日(2017.7.12)
【手続補正１】
【補正対象書類名】特許請求の範囲
【補正対象項目名】全文
【補正方法】変更
【補正の内容】
【特許請求の範囲】
【請求項１】
表示パネルと、
階層化された複数の機能情報が記憶された記憶媒体と、
上位階層に属する複数の機能情報に対応する上位コマンドを選択可能なように前記表示パネルに割り当てられた第１表示枠に表示するとともに、前記機能情報に対応するコマンドをマニュアルで入力可能にするためのマニュアルコマンドを選択可能なように前記第１表示枠に表示する第１表示処理部と、
前記第１表示枠においていずれか一つの前記上位コマンドが選択された場合に、前記表示パネルに割り当てられた第２表示枠に、当該上位コマンドに属する下位階層に含まれる複数の機能情報に対応する下位コマンドを選択可能なように表示する第２表示処理部と、
前記第１表示枠及び前記第２表示枠で前記上位コマンド及び前記下位コマンドが選択されると、前記第１表示枠及び前記第２表示枠で選択された各コマンドに共通する特定の機能情報に対応する機能を実行する機能実行処理部と、
前記第１表示枠において前記マニュアルコマンドが選択された場合に、前記第１表示枠と前記第２表示枠とを結合して前記機能情報に対応するコマンドのマニュアル入力を受け付け可能な手動入力枠に変更する表示枠変更制御部と、を備える画像処理装置。
【請求項２】
前記第２表示処理部は、前記第１表示枠において前記上位コマンドが選択された場合に、当該上位コマンドに対応する前記下位コマンドの選択頻度に応じた順に前記下位コマンドを並べて前記第２表示枠に表示する請求項１に記載の画像処理装置。
【請求項３】
前記第２表示処理部は、前記第１表示枠において前記上位コマンドが選択された場合に、前記選択頻度の最も高い前記下位コマンドを前記第２表示枠に表示する請求項２に記載の画像処理装置。
【請求項４】
前記第１表示処理部及び前記第２表示処理部は、プルダウン方式により列状にコマンドを表示する請求項１に記載の画像処理装置。
【請求項５】
前記表示パネルに表示されたショートカットキーが選択された場合に、前記第１表示枠及び前記第２表示枠を含む選択画面を表示する第３表示処理部を更に備える請求項１に記載の画像処理装置。
【国際調査報告】
2016170713.tif 000013
2016170713.tif 000014
2016170713.tif 000015
2016170713.tif 000016